(57)【特許請求の範囲】
【請求項１】
血圧計本体と、該血圧計本体と別体に形成されるとともに測定者の上腕を挿入して加圧でき、変形可能な腕帯部とを有しており、前記血圧計本体には、前記腕帯部を収納する収納部を有していて、
前記血圧計本体は、情報表示部を備え、該情報表示部には、前記腕帯部を前記収納部に収納した状態で、血圧測定機能とは直接関係しない第１情報要素を表示し、前記腕帯部を前記収納部から取り外した状態で、血圧測定と関係する第２情報要素を表示する構成とし、
前記腕帯部は、
血圧測定部位である空気袋と、
前記空気袋の外側を覆う外側部材と、
前記空気袋の内側を覆う内側部材とを有し、
前記空気袋は、
これを構成するためのシート体を幅方向のほぼ中心で折り返し、重ね合わせた外縁部を固定することにより内部に空気を収容可能な中空の筒体となるようにされていて、前記空気袋の前記筒体とした時に内側となるシート体には、互いに所定距離を隔てて、複数の折り線部分を設けることにより、前記空気袋が前記内側に曲折可能に形成されており、
前記外側部材は、前記内側部材より伸縮性が低くなっている
ことを特徴とする電子血圧計。
【請求項２】
前記腕帯部を前記収納部に収納しているか否かを検知する検知部を有し、前記検知部が発生する前記腕帯部を前記収納部に収納しているか否かの結果により、前記表示部は、前記第１情報要素あるいは前記第２情報要素を表示する構成とされたことを特徴とする請求項１に記載の電子血圧計。
【請求項３】
前記腕帯部を前記収納部に収納しているか否かを検知する検知部を有し、前記腕帯部を前記収納部から取り出された状態を前記検知部が検知すると、前記血圧計本体の電源をオンする構成とされたことを特徴とする請求項１または請求項２に記載の電子血圧計。
【請求項４】
前記腕帯部は、空気が供給されることで前記上腕を加圧する空気袋と、前記空気袋の外側を覆う外側部材と、前記腕帯部を前記収納部から取り出すと前記上腕が挿入可能な状態に前記腕帯部の形状を復帰させる腕帯部形状復帰用部材と、を有することを特徴とする請求項１〜請求項３のいずれか１つの項に記載の電子血圧計。
【請求項５】
前記情報表示部は前記本体の前面に設けられていて、前記情報表示部の画面の後ろに位置する前記収納部に前記腕帯部を折畳んで収納する構成としたことを特徴とする請求項１〜請求項４のいずれかに記載の電子血圧計。
【発明の詳細な説明】
【技術分野】
【０００１】
本発明は、電子血圧計に関し、特に腕帯部と腕帯部とは別体の血圧計本体を有し、血圧測定しない時には腕帯部を折り畳んで血圧計本体の収納部に簡易的に収納可能な電子血圧計に関する。
【背景技術】
【０００２】
近年、医療機関で行われている高血圧治療向けの血圧測定において、白衣性高血圧症による擬似高血圧が問題にされている。この擬似高血圧症の原因としては、病院内での医師の前での緊張、不安等の精神面での不安定が考えられている。これに対して、精神的に安定している家庭にて一人で測定した血圧値に注目が集まっている。このため、この家庭血圧測定に用いる一人で測定するタイプの電子血圧計が注目されている。
このタイプの血圧計で測定上問題となるのが、腕帯部の腕への装着の仕方である。腕帯部内の空気袋の位置が上腕に対して適当でない場合や、上腕に対して巻き付け強さが適当でない場合に、腕帯部の空気袋の圧迫が上腕に正しく行われず、血圧が高く測定される場合がある。近年、これを解決するために、筒状の腕帯部に腕を挿入するだけで、自動的に腕帯部の空気袋を腕の正しい位置に配置し、正しい巻き付け強さにて血圧測定を行うことができるようにした血圧計本体と腕帯部を一体とした電子血圧計が開発されている。
【０００３】
しかし、使用者が家庭血圧測定に用いる一人で測定するタイプの血圧計を使用すると、腕を挿入する腕帯部が血圧計本体と一体となっているので、血圧計本体の位置が測定者から離れていた場合には、測定者は前かがみ状態での測定となり易い。このため、測定者の腹部が圧迫されて腹圧が上昇し、その結果、血圧が上昇する現象が見られる場合がある。この血圧上昇を、新たな擬似高血圧症の発生として、指摘されている。
そこで、このような擬似高血圧症の発生という不都合に対応するために、電子血圧計としては、血圧計本体と、この血圧計本体とは別体である変形可能な腕帯部と、を有するものがある。この種の電子血圧計は、血圧計本体から軟質の筒状の腕帯部が分離できて、血圧計本体の設置場所が測定者から離れていても、測定者が座位にて背を伸ばした状態で腹圧の掛からない測定をすることが可能なタイプである。この種の血圧計本体には、血圧値等を表示する液晶表示部を有している（特許文献１を参照）。
【先行技術文献】
【特許文献】
【０００４】
【特許文献１】特開平５―５６９３８号公報
【発明の概要】
【発明が解決しようとする課題】
【０００５】
ところが、特許文献１に記載されている電子血圧計では、軟質の腕帯部と血圧計本体とは空気を送るチューブにより接続されているだけであり、電子血圧計を使用しない場合には血圧計本体の周囲に腕帯部とチューブを巻きつけて、電子血圧計を所定の保管場所に仕舞っておくことが多い。このように、従来の電子血圧計は、測定者が血圧測定をしない場合には、特に測定者の目につくところには置かれず、何ら活用されないのが現状である。
そこで、上記課題を解消するために、測定者が血圧測定しない場合には、腕帯部を血圧計本体に簡易に収納できるとともに、インテリア性を持たせて血圧計の不使用時にも置いたまま活用することができる電子血圧計を提供することを目的とする。
【課題を解決するための手段】
【０００６】
本発明の電子血圧計は、血圧計本体と、該血圧計本体と別体に形成されるとともに測定者の上腕を挿入して加圧でき、変形可能な腕帯部とを有しており、前記血圧計本体には、前記腕帯部を収納する収納部を有する血圧計本体を有していて、前記血圧計本体は、情報表示部を備え、該情報表示部には、前記腕帯部を前記収納部に収納した状態で、血圧測定機能とは直接関係しない第１情報要素を表示し、前記腕帯部を前記収納部から取り外した状態で、血圧測定と関係する第２情報要素を表示する構成としたことを特徴とする。
上記構成によれば、測定者が血圧測定しない場合には、腕帯部を血圧計本体に簡易に収納できる。この状態では、第１情報要素として、血圧測定機能とは直接関係しない任意な表示、例えば、時刻表示やカレンダー表示、ポートレートの表示等を行うことができるので、インテリア性を持たせて置いたまま活用することができる。なお、この場合、第１情報表示には、血圧を測定すべき時間の到来の報知等の血圧測定機能と間接的に関係する表示は行うようにしてもよい。
【０００７】
本発明の電子血圧計では、前記腕帯部を前記収納部に収納しているか否かを検知する検知部を有し、前記検知部が発生する前記腕帯部を前記収納部に収納しているか否かの結果により、前記表示部は、前記第１情報要素あるいは前記第２情報要素を表示する構成とされたことを特徴とする。
上記構成によれば、検知部が発生する前記腕帯部を前記収納部に収納しているか否かの結果に基づいて、表示部は、前記第１情報要素あるいは前記第２情報要素を自動的に表示変更できる。
【０００８】
本発明の電子血圧計では、前記腕帯部を前記収納部に収納しているか否かを検知する検知部を有し、前記腕帯部を前記収納部から取り出された状態を前記検知部が検知すると、前記血圧計本体の電源をオンする構成とされたことを特徴とする。
上記構成によれば、測定者により腕帯部を収納部から取り出された状態を検知部が検知すると、電子血圧計は自動的に電源オンすることができ、測定者はそのまま血圧測定動作に移れる。
【０００９】
本発明の電子血圧計では、前記腕帯部は、空気が供給されることで前記上腕を加圧する空気袋と、前記空気袋の外側を覆う外側部材と、前記腕帯部を前記収納部から取り出すと前記上腕が挿入可能な状態に前記腕帯部の形状を復帰させる腕帯部形状復帰用部材と、を有することを特徴とする。
上記構成によれば、測定者が腕帯部を収納部から取り出すだけで、腕帯部は、測定者の上腕を挿入可能な状態になり、血圧測定が容易に行える。
【発明の効果】
【００１０】
本発明によれば、測定者が血圧測定しない場合には、腕帯部を血圧計本体に簡易に収納できるとともに、血圧測定機能の不使用時には、インテリア性を持たせて置いたまま活用することができる電子血圧計を提供することができる。
【図面の簡単な説明】
【００１１】
【図１】本発明の電子血圧計の実施形態１において腕帯部が血圧計本体側に収納されている状態を示す斜視図である。
【図２】図１の電子血圧計の腕帯部が血圧計本体から取り出された状態を示す斜視図である。
【図３】腕帯部に測定者の上腕を通して血圧測定をしている状態を示す斜視図である。
【図４】図１に示す血圧計本体を示す側面図である。
【図５】収納部の構造を示す断面を有する側面図である。
【図６】腕帯部の構成を示す分解斜視図である。
【図７】腕帯部の構成を示す一部切り欠いた側面図である。
【図８】図８（Ａ）は、外布と空気袋のユニットＵＴを示す斜視図であり、図８（Ｂ）は、このユニットＵＴを別の方向から見た斜視図であり、図８（Ｃ）は、ユニットＵＴを折りたたんだ状態を示す斜視図である。
【図９】図９（Ａ）は、空気袋とマイクロフォンを示す斜視図であり、図９（Ｂ）は、空気袋と外布と内布と、マイクロフォンを示す図である。
【図１０】空気袋を形成するためのシート例を示す図である。
【図１１】図１の電子血圧計のブロック構成図である。
【図１２】本発明の電子血圧計の実施形態２の腕帯部を用いて血圧測定する状態を示す斜視図である。
【図１３】腕帯部の構成を示す分解斜視図である。
【図１４】腕帯部の構成を示す一部切り欠いた側面図である。
【発明を実施するための形態】
【００１２】
以下に、本発明の好ましい実施形態を、図面を参照して詳しく説明する。
（実施形態１）
図１は、本発明の電子血圧計の実施形態１において腕帯部が血圧計本体側に収納されている状態を示す斜視図であり、図２は、図１の電子血圧計の腕帯部が血圧計本体から取り出された状態を示す斜視図である。図３は、腕帯部に測定者の上腕を通して血圧測定をしている状態を示す斜視図である。
【００１３】
図１〜図３に示す電子血圧計１は、自動電子血圧計ともいい、電子血圧計１は、腕帯部２と血圧計本体１０を有している。この電子血圧計１は、血圧測定方式の一例としてリバロッチ・コロトコフ法が用いられ、コロトコフ音（Ｋ音）を検出して血圧測定を行う装置である。電子血圧計１の腕帯部２は、変形可能でソフトな例えばほぼ矩形の開口部を有する筒体であり、図１に示すように測定者が腕帯部２を折り畳むことで、腕帯部２は血圧計本体１０の収納部１６内に着脱可能に収納可能である。
図３に示すように、この電子血圧計１の腕帯部２は、測定者の上腕Ｔを腕帯部２の挿入開口１１Ｒから、Ｄ１方向に沿って挿入して血圧を測定するいわゆるタイプのものである。腕帯部２と血圧計本体１０とは有線（電気信号線）３により電気的に接続され、しかも腕帯部２と血圧計本体１０とがエアーの給排気路であるフレキシブルなチューブ４により接続されている。
【００１４】
まず、図１と図２を参照して、血圧計本体１０の構造について説明する。
図１と図２に示すように、血圧計本体１０は、例えばプラスチックにより作られており、血圧計本体１０は、台座部１０Ｂと、本体ケース１２と、腕帯部２の収納部１６を有している。台座部１０Ｂは、例えば机等の置き場所に置くための部分であり、本体ケース１２は台座部１０Ｂに支持されている。好ましくは、本体ケース１２は、台座部１０Ｂに対して９０度未満の角度で収納部１６側に傾斜しており、本体ケース１２は、表面部１３と背面部１４と頂部１５と、左右の側面部１２Ｂを有している。
【００１５】
本体ケース１２の表面部１３には、（情報）表示部３１が配置されている。この表示部３１は、例えば液晶表示装置やＥＬ（エロクトロルミネッセンス）による表示装置等を用いることができる。
この表示部３１は、表面領域を大きくするために、可能な限り表面部１３において広い面積を占めるように配置されていることで、測定者が表示部３１の表示内容を容易に確認できるようになっている。
本体ケース１２の頂部１５には、測定開始操作部の一例としての開始／停止ボタン３７と、メモリ呼び出し・時刻・アラーム設定ボタン３８と、モード選択ボタン３９が設けられている。測定者が開始／停止ボタン３７を押すことで、血圧測定操作の開始あるいは停止をするためのボタンである。
【００１６】
図１において、時刻を設定する場合には、例えば、メモリ呼び出し・時刻・アラーム設定ボタン３８とモード選択ボタン３９を同時に長押しすることで、操作・設定・入力機能として作用させることにより、表示部３１には時刻表示３１Ｆに表示されている時刻は、メモリ呼び出し・時刻・アラーム設定ボタン３８で選択しながら設定することができる。
また、図１において、例えばメモリ呼び出し・時刻・アラーム設定ボタン３８を押すことにより、過去の例えば１００件の血圧測定記録を表示部３１に表示できる。
【００１７】
図１に示すように、腕帯部２が血圧計本体１０の収納部１６側に収納されている状態では、表示部３１は、血圧測定機能と直接関係しない第１情報要素として、例えば気温表示３１Ｂと気圧表示３１Ｃ、そしてアナログ時計３１Ｄを表示するようになっている。
また、図２と図３に示すように、測定者が、腕帯部２を血圧計本体１０の収納部１６から取り外して血圧を測定しようとする状態では、表示部３１は、血圧測定機能と関係する第２情報要素として、例えば気温表示３１Ｂと気圧表示３１Ｃに加えて時刻表示３１Ｆと体温表示３１Ｇが追加表示され、しかも図１に示す時計表示３１Ｄの代わりに最高血圧表示３１Ｈと最低血圧３１Ｊと脈拍表示３１Ｋを表示する。
このように、血圧計本体１０の表示部３１は、腕帯部２を収納部１６に収納した状態で第１情報要素を表示し、腕帯部２を収納部１６から取り外した状態では、第１情報要素から第２情報要素に切り替えて第２情報要素を表示することができる。
【００１８】
なお、表示部３１は、図示を省略しているが、脈圧、測定動作中の表示マーク、電池交換の表示マーク等の各種の測定値等を表示することができる。
図１に示すように、血圧計本体１０の内部には、スピーカ４３と、２つのポンプ４４，４５と、排気バルブ４６と、制御バルブ４７と、制御システムを含む回路基板４８と、メモリ部６９が配置されている。スピーカ４３は、音声によるガイドや音楽によるガイドを出力するために設けられている。
【００１９】
図４は、図１に示す血圧計本体１０を示す側面図であり、図１に示す血圧計本体１０は、その背面部１４側に収納部１６が固定されている。図５は、この収納部１６の構造を示す断面を有する側面図である。図５（Ａ）は、測定者により折り畳まれた腕帯部２が収納部１６内に挿入され始めた状態（あるいは取り出されている途中の状態）を示し、図５（Ｂ）は、この腕帯部２が収納部１６内に挿入して格納された状態を示している。
【００２０】
図４と図５を参照して、この収納部１６の構造例を説明すると、収納部１６は、左右の側面部１６Ｂ、１６Ｂと、傾斜保持面部１６Ｃと、固定面部１６Ｄと、底面部１６Ｆを有する。左右の側面部１６Ｂ、１６Ｂは平行である。固定面部１６Ｄは背面部１４に固定されている。
図５に示すように、傾斜保持面部１６Ｃは、固定面部１６Ｄに対して平行ではなく、収納部１６の上部開口１６Ｇから底面部１６Ｆに向けて先細りになるように、収納部１６の内部空間１６Ｈが形成されている。これにより、腕帯部２を図５（Ａ）から図５（Ｂ）に示すようにＺ方向に向けて差し込んでいくと、腕帯部２は簡易的に内部空間１６Ｈ内で絞られるようにして保持される。
【００２１】
図５に示すように、上述した収納部１６内には、腕帯部検知部３３が配置されている。この腕帯部検知部３３は、腕帯部２がこの収納部１６に収納されているかあるいは取り出されているかを検知する非接触センサであり、腕帯部検知部３３は例えば発光部３４と受光部３５を有するフォトカプラーである。
発光部３４は、例えば発光ダイオードであり、受光部３５はフォトダイオードであり、発光部３４は傾斜保持面部１６Ｃに固定され、受光部３５は固定面部１６Ｄに固定され、ている。発光部３４と受光部３５は対面している。発光部３４と受光部３５は、図５（Ａ）に示すように、回路基板４８に対して電気的に接続されている。
これにより、図５（Ａ）に示すように、腕帯部２が収納部１６内に収納されていない時には、発光部３４の光ＬＴは受光部３５で受光され、図５（Ｂ）に示すように、腕帯部２が収納部１６内に完全に収納されると、発光部３４の光ＬＴは受光部３５で受光されない。従って、図５（Ａ）に示す回路基板４８の制御システム５６は、受光部３５に光ＬＴが受光されているか否かにより、腕帯部２が収納部１６内に収納されていないか収納されているかを判断することができる。
【００２２】
次に、図２〜図７を参照して、腕帯部２の構造について説明する。
図６は、腕帯部２の構成を示す分解斜視図であり、図７は、腕帯部２の構成を示す一部切り欠いた側面図である。
血圧測定時には測定者は、図２に示すように折り畳まれている腕帯部２を、図３に示すように広げる。そして、測定者の上腕Ｔを矩形の開口部１１Ｒから挿入して矩形の開口部１１Ｐから出した状態で圧迫するために、腕帯部２は上腕Ｔを差し込むことが可能な両端部が切れたほぼ筒状構造（筒体）を有している。これにより、この腕帯部２は、通常の腕帯部と異なり測定者の上腕Ｔに対して巻き付ける必要が無く、左右のいずれの上腕Ｔへの挿入が可能で、測定者は容易に血圧測定ができる。
【００２３】
図６および図７に示す腕帯部２は、変形可能でソフトな筒体であり、軽量に作られている。この腕帯部２は、空気袋（カフともいう）１４と、外布１６と、内布１７を有している。外布１６は、空気袋１４の外側を覆うことができる外側部材であり、内布１７は、空気袋１４の内側を覆うことができる内側部材である。ここで、内布１７には、伸縮性に富んだ物を使用し、外布１６は変形するが、内布１７よりの伸縮性が低く、好ましくは殆ど伸縮しない物を用いることが好ましい。外布１６は外布カバーともいい、内布１７は内布カバーともいう。外布１６と外布１７は、共に好ましくは筒状の部材（筒体）である。
外布１６は、空気袋１４を収納するように内布１７の外側に接合され、変形可能であるが伸縮性の無い布部材で形成された外側部材である。外布１６は、変形可能であるが伸縮性が非常に低いかほとんど無い布部材である例えば伸びにくい生地（２０１ＢＥ）を採用でき、引張強度は、ＪＩＳ  Ｌ１０９６−Ａ法で測定した値として、タテが１４４５Ｎ／ｉｎで、ヨコが８２７Ｎ／ｉｎである。外布１６としては、例えば、ポリエステル１００％の生地を用いることができる。
【００２４】
内布１７は、空気袋１４の内面を覆う筒体でなり変形可能で伸縮性を有し、上腕Ｔの被測定面に当接する当接布部である。内布１７は、変形可能で伸縮性を有する布部材である例えば伸びやすい生地を採用でき、引張強度は、ＪＩＳ  Ｌ１０９６−Ａ法で測定した値として、タテが９４．９Ｎ／ｉｎで、ヨコが１５０．７Ｎ／ｉｎである。引張伸度は、ＪＩＳ  Ｌ１０９６−Ａ法で測定した値として、タテが５１７％で、ヨコが４００％である。内布としては、例えば、ナイロン８０％、ポリウレタン２０％の生地である。
【００２５】
図６と図７に示すように、外布１６は、空気袋１４の外側に配置され、内布１７は、空気袋１４の内側に配置されている。図７に示す外布１６と内布１７は、両側の接合部分７７により接合され、外布１６と内布１７で形成された空間内には空気袋１４が収納されている。両側の接合部分７７は、糸を用いた縫い合わせや、接着剤を用いた接着により形成されている。
【００２６】
また、図７に示すように、外側部材である外布１６の上腕を通す方向Ｄ１に沿った幅Ｓから、空気袋１４の上腕を通す方向Ｄ１に沿った幅Ｗを引いた値は、好ましくは４ｃｍ以下である。このように、（幅Ｓ−幅Ｗ）の値を４ｃｍ以下に設定するのは、空気袋１４は、外布１６に対して止めておらず、外布１６の寸法に余裕を持たせて、空気袋１４の膨張と収縮に対応できるようにするためである。もしも、（幅Ｓ−幅Ｗ）の値が４ｃｍを超えると、空気袋１４が外布１６と内布１７とで形成される空間内で移動する可能性があるので、好ましくはない。
【００２７】
例えば、図２に示す左腕の上腕ＴをＤ１方向に挿入し、あるいは逆方向に上腕Ｔを外す動作は、血圧計本体１０を例えば机の上に置いた状態で行うことができる。また、右腕の上腕ＴをＤ１方向に挿入し、あるいは逆方向に上腕Ｔを外す動作は、血圧計本体１０を例えば机の上に置いた状態で行うことができる。これにより、測定者は左右いずれの上腕Ｔに対しても、腕帯部２の装着動作あるいは取り外し動作を容易に行うことができる。
【００２８】
図６と図７に示す空気袋１４は、例えば、塩化ビニル，ポリウレタン、合成ゴム，天然ゴム等の材質で形成されている。空気袋１４内へは、図１に示す血圧計本体１０内の破線で示すポンプ４４，４５の作動により、図１に示すチューブ４を通じてエアーを供給されることにより膨張することで上腕Ｔを圧迫する。空気袋１４の内圧を一定速度で減圧するため、制御バルブ４７により空気袋１４内からエアーを徐々に外へ排気でき、測定を終了したときに、排気バルブ４６により空気袋１４内からエアーを外へ急排気できる。この空気袋１４の詳しい構造については、後で説明する。
【００２９】
図８（Ａ）は、外布１６と内布１７と空気袋１４から成る腕帯部２を示す斜視図であり、図８（Ｂ）は、この腕帯部２を別の方向から見た斜視図であり、図８（Ｃ）は、腕帯部２を折りたたんだ状態を示す斜視図である。
図８（Ａ）と図８（Ｂ）に示すように、腕帯部２は４つに折り曲げてほぼ正方形断面の開口部Ｇを形成することができる。腕帯部２は４つの折り曲げ部分２００を有していることにより、図８（Ｃ）に示すように簡単に折りたたむことができる構造である。
図９（Ａ）は、空気袋１４とマイクロフォンＭを示す斜視図であり、図９（Ｂ）は、空気袋１４と外布１６と内布１７と、マイクロフォンＭを示す図である。図９に示すように、２つのマイクロフォンＭが空気袋１４に取り付けられ、２つのマイクロフォンＭは互いに向かい合っている。
【００３０】
ここで、空気袋１４の構造例を説明する。
図１０は、空気袋１４を形成するためのシート例を示している。
図１０に示すシートＳＷは、ほぼ長方形状の例えば透明のプラスチックシートであり、一例としてポリウレタンシートにより形成されている。このシートＳＷは、フィルタ付き接続管２２０、コードフック２２１、４つの折れ線部分２２２、接合部分２２３，２２４、２つのマイクロフォン保持部２２５を有している。
接続管２２０は、図２に示すチューブ４の端部を接続する。コードフック２２１は、図２に示す有線３とチューブ４を掛ける。接合部分２２３，２２４は熱圧着により空気袋１４を形成する。マイクロフォン保持部２２５はそれぞれマイクロフォンＭを保持できる。シートＳＷは４つの折れ線部分２２２の部分で折り曲げることにより、図８に示す形状の空気袋１４を形成できる。
【００３１】
図１０（Ｂ）に示すように、空気袋１４の幅（短手方向の幅）Ｗは、好ましくは１２ｃｍ以上である。この理由としては、空気袋１４の内面側が測定者の被測定面に対して少なくとも８ｃｍ以上当接していないと、正しい血圧測定ができないので、空気袋１４の内面側が８ｃｍ以上接しているためには、空気袋１４の幅Ｗは１２ｃｍ以上必要である。もし、空気袋１４の幅Ｗは１２ｃｍ未満であると、正確な血圧測定ができなくなる恐れがある。
【００３２】
次に、図１１は、図１の電子血圧計１のブロック構成図である。
図１１に示す電子血圧計１の回路ブロックを説明する。電子血圧計１の回路ブロックを示している。電子血圧計１の回路ブロックの破線で示すように、血圧計本体１０は、コロトコフ音（Ｋ音）検出システム５０と、加圧システム５１と、排気システム５２と、圧力検出システム５３と、電源システム５４と、音声システム５５と、制御システム５６を有する。
【００３３】
図１１に示す制御システム５６は、表示部３１の駆動部５８と、タイマ５９と、メモリ部６９等を有する。表示部３１の駆動部５８は、表示部３１を駆動制御して表示すべき項目を表示させる。メモリ部６９は、制御システム５６のＣＰＵ（中央処理部）により処理すべきプログラムが記憶されているＲＯＭ（読み出し専用メモリ）である。タイマ５９は、各種の動作の時間のカウントを行う。操作部５７は、制御システム５６に電気的に接続されており、すでに説明した開始／停止ボタン３７と、音量ボタン３８と、モード選択ボタン３９を有している。
【００３４】
この制御システム５６には、温度計ＳＲ１と、気圧計ＳＲ２と、体温計ＳＲ３と、すでに説明した腕帯部検知部３３が電気的に接続されている。温度計ＳＲ１と気圧計ＳＲ２は回路基板４８に搭載されている。温度径ＳＲ１は、測定環境の温度を測定する。気圧計ＳＲ２は、測定環境の気圧を測定する。図１１に示す体温計ＳＲ３は、図７に示すように腕帯部２の例えば内布１７内に配置されている。これにより、体温計ＳＲ３は、測定者の上腕に直接接触することで測定者の概略の体温を検知するようになっている。
【００３５】
図１１のコロトコフ音（Ｋ音）検出システム５０は、腕帯部２の２つのマイクロフォンＭと、Ｋ音検出回路部６０と、ノイズセンサ１５と、ノイズセンサ検出回路部６１を有している。２つのマイクロフォンＭは、Ｋ音検出回路部６０を介して制御システム５６に電気的に接続されている。図１に示すように、２つのマイクロフォンＭは、開口部１６に対して互いに対向した位置（上腕Ｔの動脈に近い位置と遠い位置）に配置されている。
【００３６】
図１１の２つのマイクロフォンＭは、測定者の血流音（血管情報）を検知し、Ｋ音検出回路部６０はこの血流音からＫ音を検出して制御システム５６にＫ音信号を伝える。制御システム５６は、入力されたＫ音信号からコロトコフ音と、このコロトコフ音の発生ポイントと、消滅ポイントを検出する。ノイズセンサ１５は、外部からマイクロフォンＭに入る振動ノイズを検知して、ノイズセンサ検出回路部６１を介して制御システム５６にノイズ信号を送る。これにより、制御システム５６は、Ｋ音信号からノイズを除去することで、Ｋ音検出信号の精度を高めている。
【００３７】
図１１に示す圧力検出システム５３は、配管部６３と、圧力センサ６４と、チューブ４により構成されている。圧力センサ６４は、アンプ、フィルタ、積分Ａ／Ｄ部６５を介して制御システム５６に電気的に接続されている。制御システム５６は、Ｋ音信号を検出する。
【００３８】
すなわち、加圧して血管内の血流を止めた後に減圧し、再び血流が流れる時の最初のＫ音信号が検出された時点の圧力を最高血圧値に設定し、更に減圧を続けて血管の管路断面積が十分に拡がり、Ｋ音信号が検出されなくなったら、最後のＫ音信号が検出された時点の圧力を最低血圧値に設定する。また、制御システム５６は、最高血圧値と最低血圧値から得られる血管脈動またはＫ音信号の出現間隔から脈拍数を演算する。
【００３９】
加圧システム５１は、ポンプ４４，４５と、ポンプの駆動部６２を有する。制御システム５６の指令により、駆動部６２は、ポンプ４４，４５を駆動制御する。ポンプ４４，４５は、圧力検出システム５３の配管部６３を通じて腕帯部２の空気袋内に接続されている。
電子血圧計１では、腕帯部２内をポンプ４４，４５で加圧した後、微速度で排気して減圧しつつ圧力センサ６４を用いて腕帯部２の空気袋内の圧力を検出すると同時に、マイクロフォンＭを用いてコロトコフ音（Ｋ音）を検出する。そして、電子血圧計１は、Ｋ音信号と、このＫ音信号の発生ポイントと消滅ポイントを検出することで、最高血圧値と最低血圧値を算出して、算出した最高血圧値と最低血圧値を表示部３１に表示できる。
【００４０】
次に、排気システム５２について説明する。排気システム５２は、２つの駆動部６６，６７と、排気バルブ（強制排気部）４６と、制御バルブ（減圧制御部）４７を有する。排気バルブ４６と制御バルブ４７は配管部６３の途中に配置されている。制御システム５６が駆動部６６に指令をすることで、排気バルブ４６の開閉を行い、制御システム５６が駆動部６７に指令をすることで、制御バルブ４７の開閉を行う。  
【００４１】
電源システム５４は、電池６８と、電源コントロール部６９Ｃと、電源監視部７０を有する。電池６８は、繰り返して充電可能な例えばリチウムイオン電池であるが、特に種類は限定されず、乾電池等でも良い。電池６８の電圧は、電源コントロール部６９Ｃにより制御されて制御システム５６に供給されるとともに、ポンプ４４，４５の駆動電源、音声制御部７１へ供給する電源でもある。電源監視部７０は、電池６８の残量等の監視を行う。また、ＡＣアダプタを用いることで１００Ｖの商用電源を用いることができる。  
【００４２】
音声システム５５は、音声制御部７１と、増幅部７２を有している。音声制御部７１と増幅部７２は、制御システム５６からの指令により制御される。音声制御部７１は、制御システム５６の指令により、音声によるガイダンスデータもしくは音楽データを増幅部７２に送って増幅することで、スピーカ４３は音声によるガイド用のアナウンスと音楽によるガイド用のアナウンスを発生することができる。
【００４３】
次に、上述した電子血圧計１を用いて、血圧測定プログラムの手順に従って、血圧測定を行う例を説明する。
血圧測定プログラムでは、モード選択ボタン３９を繰り返して押すことにより、例えば通常モードＭ１、最高血圧モードＭ２、最低血圧モードＭ３を選択可能である。以下に、これらのモードを順番に説明する。
【００４４】
測定者が血圧測定のために電子血圧計１を使用しない場合には、図１に示すように電子血圧計１は、例えば机の上に置かれており、腕帯部２が血圧計本体１０の収納部１６側に収納されている。このように、腕帯部２が血圧計本体１０の収納部１６側に収納されている状態では、表示部３１には、例えばインテリア性のある情報としての血圧測定機能と直接関係しない第１情報要素である気温表示３１Ｂと気圧表示３１Ｃ、そしてアナログ時計３１Ｄを表示する。表示部３１には、気温表示３１Ｂと気圧表示３１Ｃとアナログ時計３１Ｄを表示でき、特にアナログ時計３１Ｄを比較的大きく表示している。これにより、血圧測定しない場合でも、電子血圧計１はオブジェのようなインテリア性を持たせてインテリア品として、室内に飾っておくことができる。
なお、第１情報要素としては、時刻や日時表示の他、ポートレートや絵画、簡単な動画を表示するようにしてもよい。
また、ユーザの選択により、血圧計の操作手順を、動画もしくは順序表示される数枚の手順を表す画面で表示することもできる。
また、図１に示すように、腕帯部２は、折り曲げられていることにより、押しつぶされたようにして、図４と図５（Ｂ）に示す状態で、収納部１６内にコンパクトに収納されている。
【００４５】
（通常モードＭ１）
次に、図２と図３に示すように、測定者が腕帯部２を血圧計本体１０の収納部１６から取り外して、腕帯部２を図３に示すように広げて、腕帯部２内に上腕Ｔを挿入して血圧を測定する。
この血圧測定をする状態では、図５（Ａ）に示すように発光部３４の光ＬＴが受光部３５に受光されるので、図１１と図５（Ａ）に示す制御システム５６は、腕帯部２が収納部１６から取り外されたと判断して、制御システム５６は、表示部３１に指令を与える。これにより、図２に示すように、表示部３１は、第２情報要素である、例えば図１１に示す温度計ＳＲ１で測定した気温表示３１Ｂと、気圧計ＳＲ２で測定した気圧表示３１Ｃに加えて、デジタルの時刻表示３１Ｆと、体温計ＳＲ３で測定した体温表示３１Ｇが追加表示され、しかも図１に示すアナログ時計表示３１Ｄの代わりに最高血圧表示３１Ｈと最低血圧３１Ｊと脈拍表示３１Ｋが表示される。
【００４６】
そして、測定者が図１に示すモード選択ボタン３９を押して通常モードＭ１を選択した場合には、測定者は図１の開始／停止ボタン３７を押して血圧測定を開始する。図１のポンプ４４，４５が全速力で空気袋１４を昇圧して、２つのマイクロフォンＭが、測定者の血流音（血管情報）を検知して脈が消滅するまで全速力で腕帯部２内の空気袋１４を昇圧する。制御システム５６が脈の消失を判断したら腕帯部２内の昇圧を停止する。
そして、腕帯部２内を少しずつ減圧（例えば２〜５ｍｍＨｇ／秒）していき、最高血圧値と最低血圧値を検出する。最高血圧値と最低血圧値を図１の表示部３１に表示して、ポンプ４４，４５と排気バルブ４６を作動して腕帯部２内の空気袋１４を急排気する。
このように、最高血圧値と最低血圧値を表示部３１に表示できた時点で、腕帯部２内の空気袋１４を急排気することで、測定者の上腕に対する圧迫を即座に解消できるので、測定者への負担を軽減できる。
【００４７】
（最高血圧モードＭ２）
測定者が図１に示すモード選択ボタン３９を押して最高血圧モードＭ２を選択した場合には、測定者は図１の開始／停止ボタン３７を押して血圧測定を開始する。図１のポンプ４４，４５が全速力で空気袋１４を昇圧して、２つのマイクロフォンＭが、測定者の血流音を検知して脈が消滅するまで全速力で腕帯部２内の空気袋１４を昇圧する。制御システム５６が脈の消失を判断したら腕帯部２内の空気袋１４の昇圧を停止する。
【００４８】
そして、少しずつ減圧（例えば２〜５ｍｍＨｇ／秒）していき、図１のスピーカ４３が腕帯部２内の空気袋１４を減圧時のカフ値毎に、例えば１０ｍｍＨｇ毎に圧力値を音声によりアナウンスし、最高血圧値だけを検出する。その後、図１のスピーカ４３は最高血圧値と脈拍数を音声によるガイドでアナウンスして、ポンプ４４，４５と排気バルブ４６を作動して腕帯部２内の空気袋１４を急排気する。これにより、最高血圧値と脈拍数を音声によるガイドでアナウンスしながら腕帯部２内を急排気することで、測定者の上腕に対する圧迫を即座に解消できるので、測定者への負担を軽減できる。
【００４９】
（最低血圧モードＭ３）
測定者が図１に示すモード選択ボタン３９を押して最低血圧モードＭ３を選択した場合には、測定者は図１の開始／停止ボタン３７を押して血圧測定を開始する。少しずつ昇圧（例えば２〜５ｍｍＨｇ／秒）していき、図１のスピーカ４３が腕帯部２内の空気袋１４を昇圧時のカフ値毎に、例えば１０ｍｍＨｇ毎に圧力値を音声アナウンスし、最低血圧値を検出する。その後、脈が消失したら昇圧を停止して、図３のスピーカ４３が最低血圧値を音声によるガイドでアナウンスをするとともに、ポンプ４４，４５と排気バルブ４６を作動して腕帯部２内の空気袋１４を急排気する。
【００５０】
以上説明したように、上述した本発明の実施形態１では、測定者が電子血圧計１を用いて血圧測定をしない場合には、図１に示すように、電子血圧計１は例えば机の上に置いておき、表示部３１は、通常表示されていると便利でインテリア性の高い第１情報要素である、例えば気温表示３１Ｂと気圧表示３１Ｃ、そしてアナログ時計３１Ｄを表示することができる。表示部３１には、気温表示３１Ｂと気圧表示３１Ｃとアナログ時計３１Ｄを表示でき、特にアナログ時計３１Ｄを比較的大きく表示している。
これにより、測定者が血圧測定しない場合でも、電子血圧計１は仕舞われることなく、電子血圧計１はインテリア品として、室内に飾っておくことができる。すなわち、測定者が血圧測定しない場合には、腕帯部２を血圧計本体１０に簡易に収納できるとともに、電子血圧計１は、インテリア性を持たせて活用することができる。本発明の実施形態１の電子血圧計１は、測定者が血圧測定しない場合には、腕帯部を血圧計本体に簡易に収納できるとともに、インテリア性を持たせて置いたまま活用することができる。
【００５１】
そして、測定者が電子血圧計１を用いて血圧測定を行う場合には、この血圧計本体１０を例えば机の上において、図３に示すように測定者は腕帯部２を収納部１６から取り出して、上腕Ｔを腕帯部２に対して簡単に確実に挿入することで、血圧測定を行うことができる。
この血圧測定の際には、表示部３１は、表示されていると便利な第２情報要素として、例えば気温表示３１Ｂと気圧表示３１Ｃに加えて、デジタルの時刻表示３１Ｆと体温３１Ｇが追加表示し、しかも図１に示すアナログ時計表示３１Ｄの代わりに最高血圧表示３１Ｈと最低血圧３１Ｊと脈拍３１Ｋを表示することができる。
【００５２】
（実施形態２）
次に、図１２〜図１４を参照して、本発明の電子血圧計の実施形態２を説明する。
図１２は、本発明の電子血圧計の実施形態２の腕帯部を用いて血圧測定する状態を示す斜視図である。図１３は、腕帯部の構成を示す斜視図である。図１４は、腕帯部の構成を示す断面を有する側面図である。
図１２〜図１４に示す本発明の実施形態２の電子血圧計１Ｂの要素が、図１〜図１１に示す本発明の実施形態１の電子血圧計１の要素と、実質的に同じ場合には、同じ符号を記してその説明に替える。
【００５３】
図１２〜図１４に示す電子血圧計１Ｂが、図１〜図６に示す電子血圧計１と異なるのは、表示部３１に加えて別の表示部３８０が配置されていることと、腕帯部２には腕帯部形状復帰用部材１５０が配置されていることである。
図１２に示すように、表示部３１とは別の表示部３８０が、例えば台座部１０Ｂに配置されている。表示部３１は第１表示部であり、この別の表示部３８０は第２表示部であり、この別の表示部３８０は、図１２に例示するように、任意のキャラクタ３８１の表示や、その他のゲームやアニメ等の人気キャラクタ、占いの結果を表示したり、ＷＨＯ（世界保健機関）の年齢別の血圧の平均値等の数値を少なくとも１つを表示することができる。このように、別の表示部３８０には、任意にエンターテイメント要素を表示することができる。任意のキャラクタ３８１の表示や、その他のゲームやアニメ等の人気キャラクタの表示は、血圧測定の結果と同期して動くようにしても良い。
【００５４】
次に、図１２〜図１４を参照して、腕帯部２の外布１６に配置された腕帯部形状復帰用部材１５０について説明する。この腕帯部形状復帰用部材１５０は、図１２に示す腕帯部２が収納部１６から取り外された時に、腕帯部２が折り畳まれて収納部１６内に収納されていた状態から、図１３と図１４に示す使用状態に自動的に展開して形状を復帰できるようにするための部材である。
【００５５】
図１４に示すように、例えば、２つの腕帯部形状復帰用部材１５０が、外布１６の開口部１１Ｒ側の位置と、開口部１１Ｐ側の位置にそれぞれ配置されている。腕帯部形状復帰用部材１５０は、例えば、形状記憶機能もしくは超弾性機能を備えた帯状部材であり、外布１６の外面側に例えば接着剤により全周囲にわたって固定されている。
この腕帯部形状復帰用部材１５０は弾性変形が可能であり、測定者は腕帯部形状復帰用部材１５０の反発力に抗して、腕帯部２を折り畳んで収納部１６内に挿入することができる。また、折り畳まれた腕帯部２は、収納部１６内から取り出すと、腕帯部形状復帰用部材１５０は、腕帯部２を折り畳んだ状態から腕帯部２の形状を、上腕Ｔを挿入できるように自動的に自己復帰させることができる。
【００５６】
このような自己復帰機能を持たせるために、腕帯部形状復帰用部材１５０の材質としては、所定の温度以上で、展張して、所定の剛性および弾性を発揮できる材料、例えば金属材、２種類以上の金属の合金、プラスチック等を採用できる。
本実施形態では、自己復帰機能を発揮するために、腕帯部形状復帰用部材の材質を選択して形状記憶材料を用いることとし、その変態温度に達した時に所定の剛性を発揮して、記憶させた形状を回復させている。
ここで、このような形状回復するための変態温度すなわち、形状回復温度としては、外気温より高く、体温より低い温度が良いので、例えば、２０℃〜３７℃の範囲で設定される。より好ましくはこの形状回復温度は、２５℃〜３０℃程度とされる。
腕帯部形状復帰用部材の材料として金属を選択する場合の好適な合金として、ニッケル―チタン合金が挙げられ、ニッケル―チタン合金の場合、Ｎｉ濃度が増加すると、変態温度が低下する。Ｎｉ組成が５５％〜５６％のとき、２５℃〜４０℃範囲内で変態温度を設定できる。
腕帯部形状復帰用部材の材料として合成樹脂材料を用いる場合には、ポリブチレンサクシネート（ＰＢＳ）と呼ばれるものに有機高分子を合成して作ったものや、形状記憶性ポリ乳酸など、その他形状記憶樹脂と呼ばれるものを種々選択することができる。
このように、例えば、腕帯部形状復帰用部材の材料として、形状記憶金属材料を選ぶと、ニッケル―チタン合金、または、鉄−マンガン―ケイ素系合金等を選択して、マルテンサイト変態点を上述した血圧計使用環境に記憶設定することにより、収納部１６から腕帯部２を取り出すと、記憶された形状に展張され、軟らかい腕帯部２が、所定の剛性を得ることができるので、測定時の取り扱いが容易となる。
また、腕帯部形状復帰用部材として、ステントに用いられる材料を採用することができる。ステントとは、人体の管状の部分（血管、気管、食道、十二指腸、大腸、胆道など）を管腔内部から広げる医療機器であり、例えば、金属でできた網目の筒状のものである。その材料に上述の形状記憶材料を用いることで、腕帯部形状復帰用部材として応用することができる。
さらに、冬など気温が低い状況下の使用のとき、腕帯部２の腕帯部形状復帰用部材１５０近傍に、面状ヒーターやニクロム線を設け（不図示）、発熱させることで、腕帯部形状復帰用部材１５０を早く形状回復可能な状態にすることができる。
【００５７】
なお、腕帯部形状復帰用部材１５０は、例えば線状体を所定のパターンに形成できるが、これに限らず板状部材を打ち抜いて形成することもできる。また、腕帯部形状復帰用部材１５０は、単純な形状の板状部材を用いることもできる。いずれにしても、腕帯部形状復帰用部材１５０の形状や製造方法は特に限定されない。線状体の場合、ニッケル―チタン合金の線径は０．３〜１．０ｍｍであれば所定の剛体及び弾性を発揮できる。板状部材の場合、厚み５０〜１００μｍ、幅８０〜１５０ｍｍであれば所定の剛体及び弾性を発揮できる。線状体、板状部材のどちらの場合でも、腕帯部２の円周上に略１周形成されているが、これに限らず一部スリットを有していてもよく、また、数回巻かれていてもよい。
これにより、測定者が腕帯部２を収納部１６内から取り外すことで、取り外された腕帯部２の形状を図１３と図１４に示すように断面矩形状の筒状の部材に展開することができ、この腕帯部２の形状展開動作の際には、腕帯部形状復帰用部材１５０の復帰力により腕帯部２を、血圧測定が実施できるように筒状に確実に自動的に展開させることができる。従って、図２に示すように測定者は、上腕Ｔを展開済みの腕帯部２に対して、簡単にしかも確実に挿入して血圧測定を行うことができる。
本発明の実施形態２の電子血圧計１Ｂは、測定者が血圧測定しない場合には、腕帯部を血圧計本体に簡易に収納できるとともに、インテリア性を持たせて置いたまま活用することができる。
【００５８】
本発明の実施形態１と実施形態２では、測定者が腕帯部２を収納部１６から取り出したことを検知部３３が検知した場合には、この検知をトリガーとして、電子血圧計１の電源をオフ状態からオン状態にし、逆に測定者が腕帯部２を収納部１６に収納したことを検知部３３が検知した場合には、この検知をトリガーとして、電子血圧計１の電源をオン状態からオフ状態にするようにしても良い。
【００５９】
本発明の電子血圧計では、検知部が発生する前記腕帯部を前記収納部に収納しているか否かの結果に基づいて、表示部は、第１情報要素あるいは第２情報要素を自動的に表示変更できる。測定者により腕帯部を収納部から取り出された状態を検知部が検知すると、電子血圧計は自動的に電源オンすることができ、測定者はそのまま血圧測定動作に移れる。腕帯部が腕帯部形状復帰用部材を有していることで、測定者が腕帯部を収納部から取り出すだけで、腕帯部は、測定者の上腕を挿入可能な状態になり、血圧測定が容易に行える。
【００６０】
ところで、本発明は上記実施形態に限定されず、種々の変形例を採用することができる。本発明の各実施形態の要素は、任意に組み合わせて用いることができる。表示部３１は、例えば液晶表示装置の他に、有機ＥＬ装置、蛍光表示装置等、特に種類は限定されない。腕帯部２は断面矩形の開口部を有しているが、例えば断面円形の開口部を有するものであっても良い。腕帯部検知部３３は例えば発光部３４と受光部３５を有するフォトカプラーであるが、これに限らず、腕帯部２を非接触で検出する他の形式の非接触式センサ、あるいは腕帯部２を接触で検出するセンサを用いても良い。
【００６１】
本発明の実施形態２では、２つの帯状の腕帯部形状復帰用部材１５０が外布１６の表面側に接着剤を用いて固定されているが、これに限らず外布１６の表面側に１つあるいは３つ以上の腕帯部形状復帰用部材を固定しても良い。腕帯部形状復帰用部材１５０を腕帯部２に固定するための手段は、接着剤に限らず他の方法であっても良い。腕帯部形状復帰用部材１５０は、外布１６の表面側ではなく、外布１６の内面側、あるいは空気袋に固定しても良い。腕帯部形状復帰用部材は帯状に限らず、他の形状を採用することもできる。
上述した本発明の実施形態では、電子血圧計は、血圧測定方式としてリバロッチ・コロトコフ法が用いられ、コロトコフ音（Ｋ音）を検出して血圧測定を行うようになっているが、圧脈波（オシロメトリック法）等の他の血圧測定方式を採用しても良い。
【符号の説明】
【００６２】
１・・・電子血圧計、２・・・腕帯部、１０・・・血圧計本体、１１Ｐ、１１Ｒ・・・開口部、１４・・・空気袋、１６・・・外布（外側部材の一例）、１７・・・内布（当接布部の一例）、３１・・・表示部、３１Ｂ・・・気温表示（第１情報要素）、３１Ｃ・・・気圧表示（第１情報要素）、３１Ｄ・・・アナログ時計（第１情報要素）、３１Ｂ・・・気温表示（第２情報要素）、３１Ｃ・・・気圧表示（第２情報要素）、３１Ｆ・・・時刻表示（第２情報要素）、３１Ｇ・・・体温表示（第２情報要素）、３１Ｈ・・・最高血圧表示（第２情報要素）、３１Ｊ・・・最低血圧（第２情報要素）、３１Ｋ・・・脈拍表示（第２情報要素）、３８０・・・別の表示部、Ｔ・・・測定者の上腕
【図１】
0005470024.tif 000002
【図２】
0005470024.tif 000003
【図３】
0005470024.tif 000004
【図４】
0005470024.tif 000005
【図５】
0005470024.tif 000006
【図６】
0005470024.tif 000007
【図７】
0005470024.tif 000008
【図８】
0005470024.tif 000009
【図９】
0005470024.tif 000010
【図１０】
0005470024.tif 000011
【図１１】
0005470024.tif 000012
【図１２】
0005470024.tif 000013
【図１３】
0005470024.tif 000014
【図１４】
0005470024.tif 000015